(57)【要約】      （修正有）【課題】把手部を持った際の安定性に優れ、開口部に口を当てて内容物である飲料などを飲む際、開口部の紙などが水分を吸収することを防止し、さらに、包装容器を組み立てた後の保形性に優れた包装容器を提供する。【解決手段】本発明の包装容器１は、外装容器２と内袋３とから構成され、外装容器は、前面板、右前側面板、左前側面板、左前側面板の左側折罫を介して連接した右背側面板、背面板、左背側面板、右前側面板の右側折罫を介して連接した前面把手部、左前側面板の左側折罫を介して連接した背面把手部からなる胴体部４と、前面板または背面板の下側折罫を介して連接した底板部５とからなり、底板部は、底上側面板、底面板、底下側面板からなり、底上側面板の下側折罫と底面板の下側折罫は平行であり、前面把手部と背面把手部の間に内袋の一部を挟み、内袋は、外装容器の開口部からはみ出た、開口縁を有する部分を備えた上で、外装容器に付されている。【選択図】図１
2020203687.tif 000002
【特許請求の範囲】
【請求項１】
外装容器と内袋とから構成され、
前記外装容器は、前面板、前面板の右側折罫を介して連接した右前側面板、前面板の左側折罫を介して連接した左前側面板、左前側面板の左側折罫を介して連接した右背側面板、右背側面板の左側折罫を介して連接した背面板、背面板の左側折罫を介して連接した左背側面板、右前側面板の右側折罫を介して連接した前面把手部、および、左背側面板の左側折罫を介して連接した背面把手部からなる胴体部と、前面板または背面板の下側折罫を介して連接した底板部とからなり、
前記底板部は、前面板の下側折罫を介して連接した底上側面板、底上側面板の下側折罫を介して連接した底面板、および底面板の下側折罫を介して連接した底下側面板からなり、底上側面板の下側折罫と底面板の下側折罫は平行であり、
前面把手部と背面把手部の間に内袋の一部を挟み、前記内袋は、前記外装容器の開口部からはみ出た、開口縁を有する部分を備えた上で、前記外装容器に付されている、
ことを特徴とする包装容器。
【請求項２】
前記内袋の、前記外装容器の開口部からはみ出た、開口縁を有する部分が、外装容器の前面板、右前側面板、および左前側面板にまたがる前面フィルムと、外装容器の背面板、右背側面板、および左背側面板にまたがる背面フィルムとからなり、前面フィルムから形成される前面開口縁と背面フィルムから形成される背面開口縁が、それぞれ上側に弧を描く形状となっている、ことを特徴とする、請求項１に記載の包装容器。
【請求項３】
前記内袋の、前面開口縁の少なくとも左前側面板に装着される側の端と、背面開口縁の少なくとも右背側面板に装着される側の端に、それぞれ立ち上がり部を有することを特徴とする、請求項２に記載の包装容器。
【請求項４】
前記それぞれの立ち上がり部の長さが２ｍｍから３ｍｍであることを特徴とする、請求項３に記載の包装容器。
【請求項５】
前面把手部と背面把手部に穴が形成されていることを特徴とする、請求項１から請求項４のいずれかに記載の包装容器。
【請求項６】
前記外装容器の前面板の底辺が左前側面板の底辺より短いことを特徴とする、請求項１から請求項５のいずれかに記載の包装容器。
【請求項７】
前記外装容器の前面板が略三角形状であることを特徴とする、請求項１から請求項６のいずれかに記載の包装容器。
【発明の詳細な説明】
【技術分野】
【０００１】
本発明は、非使用時には扁平な状態に折りたたむことができ、使用時には立体化することができる包装容器に関する。
【背景技術】
【０００２】
非使用時には扁平な状態に折りたたむことができ、使用時には立体化することができる包装容器が知られている。
【０００３】
例えば、特許文献１には、通常は平面形状をなし組立てると筒形状をなす外胴体と、その外胴体の内側に接着した袋体とからなり、前記外胴体は保形性のある平板に折曲線を平行に施し、この折曲線に沿って折曲することにより、平行でかつ長さの等しい相対向する２基準辺を有し、その２基準辺の左右両辺のなす２つの角の頂点を結ぶ対角線が前記２基準辺間の距離を２等分しかつ該２基準辺と平行である六角形の筒形状をなすように構成される。一方、前記袋体は１枚のシート状のものをＷ字状に折り込み、そのシートの左右両サイドをシールすると共に、前記折込部の１本の山折曲線の両端の前記左右両サイドのシール部との交点から前記折込部の２本の谷折曲線までの間をそれぞれシールしてなり、前記左右両サイドのシール部の内側の巾を前記外胴体の全周辺の長さの２分の１とし、前記折込部の１本の山折曲線から２本の谷折曲線までのそれぞれの折込部を前記外胴体の２基準辺間の距離の２分の１とし、前記２本の谷折曲線の前記折込部のシール部との２交点間の底辺の巾を前記外胴体の基準辺の長さと等しくし、前記２本の谷折曲線の前記折込部のシール部との２交点と前記左右両サイドのシール部間の巾をそれぞれ前記外胴体の基準辺の左右両隣りの辺の長さと等しくし、前記２本の谷折曲線とそれと対向する開口部の縁までの高さを前記外胴体の高さと等しくし、前記左右両サイドシール部を折り返すと共に、その折り返し部の内側を左右サイドシール部の一方側もしくは両方側接着してなる。
【０００４】
かくしてなる袋体の開口部の全周縁部を前記外胴体の上辺部の全周に接着し、前記袋体の２本の谷折曲線の底辺部分を前記外胴体の２基準辺部に接着し、前記袋体の左右両サイドのシール部の折り返し部の外側を前記外胴体の下辺から少なくとも２基準辺間の距離の２分の１離れた位置に少なくとも基準辺の長さの２分の１の巾でもつて接着してなり、さらに、前記外胴体上の切込により握部が形成された簡易コップが提案されている。
【先行技術文献】
【特許文献】
【０００５】
【特許文献１】特公昭５９−４４２６０号公報
【発明の概要】
【発明が解決しようとする課題】
【０００６】
特許文献１に記載の発明により、袋体の折り返し部の内側を左右両サイドシール部の一方側もしくは両方側接着し、その左右両サイドシール部の折り返し部のところにおいて口を当てて飲む際に、内容物が折り返し部の内側の隙間から漏れるのを防ぐことができる。      
【０００７】
しかし、上記簡易コップでは、握部を持った際に不安定であったり、開口部に口を当てて内容物である飲料などを飲む際、開口部の紙端面が露出しているために、その紙端面が、口の中の唾液や飲料の水分を吸収して柔らかくなってしまったり、さらに、外胴体を折って組み立てた後の保形性が不十分で、使用中に潰れてしまうという問題がある。
【０００８】
そこで、本発明は、握部（把手部）を持った際の安定性に優れ、開口部に口を当てて内
容物である飲料などを飲む際、開口部の紙などが水分を吸収することを防止し、さらに、包装容器を組み立てた後の保形性に優れた包装容器を提供することを課題とする。
【課題を解決するための手段】
【０００９】
請求項１に記載の発明は、外装容器と内袋とから構成され、前記外装容器は、前面板、前面板の右側折罫を介して連接した右前側面板、前面板の左側折罫を介して連接した左前側面板、左前側面板の左側折罫を介して連接した右背側面板、右背側面板の左側折罫を介して連接した背面板、背面板の左側折罫を介して連接した左背側面板、右前側面板の右側折罫を介して連接した前面把手部、および、左背側面板の左側折罫を介して連接した背面把手部からなる胴体部と、前面板または背面板の下側折罫を介して連接した底板部とからなり、前記底板部は、前面板の下側折罫を介して連接した底上側面板、底上側面板の下側折罫を介して連接した底面板、および底面板の下側折罫を介して連接した底下側面板からなり、底上側面板の下側折罫と底面板の下側折罫は平行であり、前面把手部と背面把手部の間に内袋の一部を挟み、前記内袋は、前記外装容器の開口部からはみ出た、開口縁を有する部分を備えた上で、前記外装容器に付されている、ことを特徴とする包装容器である。
【００１０】
請求項２に記載の発明は、前記内袋の、前記外装容器の開口部からはみ出た、開口縁を有する部分が、外装容器の前面板、右前側面板、および左前側面板にまたがる前面フィルムと、外装容器の背面板、右背側面板、および左背側面板にまたがる背面フィルムとからなり、前面フィルムから形成される前面開口縁と背面フィルムから形成される背面開口縁が、それぞれ上側に弧を描く形状となっている、ことを特徴とする、請求項１に記載の包装容器である。
【００１１】
請求項３に記載の発明は、前記内袋の、前面開口縁の少なくとも左前側面板に装着される側の端と、背面開口縁の少なくとも右背側面板に装着される側の端に、それぞれ立ち上がり部を有することを特徴とする、請求項２に記載の包装容器である。
【００１２】
請求項４に記載の発明は、前記それぞれの立ち上がり部の長さが２ｍｍから３ｍｍであることを特徴とする、請求項３に記載の包装容器である。
【００１３】
請求項５に記載の発明は、前面把手部と背面把手部に穴が形成されていることを特徴とする、請求項１から請求項４のいずれかに記載の包装容器である。
【００１４】
請求項６に記載の発明は、前記外装容器の前面板の底辺が左前側面板の底辺より短いことを特徴とする、請求項１から請求項５のいずれかに記載の包装容器である。
【００１５】
請求項７に記載の発明は、前記外装容器の前面板が略三角形状であることを特徴とする、請求項１から請求項６のいずれかに記載の包装容器である。
【発明の効果】
【００１６】
本発明に係る包装容器は、外装容器と内袋とからなる。外装容器に形成された把手部で内袋の一部を挟むため、把手部を持った際の安定性に優れる。内袋における、外装容器の開口部からはみ出た部分で外装容器の開口部を覆うため、開口部に口を当てて内容物である飲料などを飲む際、開口部の紙などが水分を吸収することを防止する。外装容器には、折罫を内側に折り曲げ、外装容器の胴体部の中に入れ込むための底板部が設けられているため、包装容器を組み立てた後の保形性に優れている。
【図面の簡単な説明】
【００１７】
【図１】包装容器の第一実施形態の展開図である。
【図２】内袋の第一実施形態の斜視図である。
【図３】包装容器の第一実施形態を偏平に折り畳んだ状態の正面図である。
【図４】包装容器の第一実施形態の開口した状態の、（ａ）内袋の前面開口縁と背面開口縁を外装容器の外側にめくる前で、かつ、底板部を胴体部の中に入れ込む前の斜視図と、（ｂ）内袋の前面開口縁と背面開口縁を外装容器の外側にめくった後で、かつ、底板部を胴体部の中に入れ込んだ後の斜視図である。
【図５】包装容器の第一実施形態または第三実施形態を組み立てた状態の底面図である。
【図６】包装容器の第一実施形態を開口し、底板部を胴体部の中に入れ込んだ状態の、（ａ）内袋の第一実施形態の前面開口縁と背面開口縁を外装容器の外側にめくる前の、内袋の第一実施形態の開口部分の左側面図と、（ｂ）内袋の第一実施形態の前面開口縁と背面開口縁を外装容器の外側にめくった後の、内袋の第一実施形態の開口部分の左側面図である。
【図７】包装容器の第一実施形態を開口し、底板部を胴体部の中に入れ込んだ状態の、（ａ）内袋の第二実施形態の前面開口縁と背面開口縁を外装容器の外側にめくる前の、内袋の第二実施形態の開口部分の左側面図と、（ｂ）内袋の第二実施形態の前面開口縁と背面開口縁を外装容器の外側にめくった後の、内袋の第二実施形態の開口部分の左側面図である。
【図８】包装容器の第二実施形態の展開図である。
【図９】包装容器の第二実施形態を組み立てた状態の斜視図である。
【図１０】包装容器の第二実施形態を組み立てた状態の底面図である。
【図１１】包装容器の第三実施形態の展開図である。
【図１２】包装容器の第三実施形態を組み立てた状態の斜視図である。
【発明を実施するための形態】
【００１８】
以下、必要に応じて図面を参照して、本発明に係る包装容器の実施形態の例について説明する。
【００１９】
図１は、包装容器１の第一実施形態の展開図である。包装容器１は、厚紙などの適度の剛直性を有する一枚のシート状の外装容器２と、アルミ蒸着フィルムなどからなる内袋３とから構成される。図１に示すように、前記外装容器２は、前面板６、前面板６の右側折罫１４を介して連接した右前側面板７、前面板６の左側折罫１５を介して連接した左前側面板８、左前側面板８の左側折罫１６を介して連接した右背側面板１０、右背側面板１０の左側折罫１７を介して連接した背面板９、背面板９の左側折罫１８を介して連接した左背側面板１１、右前側面板７の右側折罫１９を介して連接した前面把手部１２、および、左背側面板１３の左側折罫２０を介して連接した背面把手部１３からなる胴体部４と、前面板６の下側折罫２４を介して連接した底板部５とからなる。前記底板部５は、前面板６の下側折罫２４を介して連接した底上側面板２１、底上側面板２１の下側折罫２５を介して連接した底面板２２、および底面板２２の下側折罫２６を介して連接した底下側面板２３からなり、底上側面板２１の下側折罫２５と底面板２２の下側折罫２６は平行である。
【００２０】
前記胴体部４を形成する折罫は、上記の通り少なくとも７本設けられていればよく、保形性や包装容器１組立て時の底板部５の胴体部４の中への入れ込みなどに問題がなければそれより多くてもよい。この場合は、それらの折罫を介して連接された胴体部４の各面の板の形状に合わせて底板部５を形成する。また、前面把手部１２と背面把手部１３には、それぞれに、穴２７、２８が形成されている。この穴２７、２８は、包装容器１の組み立て後に、重ね合わされた前面把手部１２と背面把手部１３を持った時の滑り止め効果を有するとともに、重ね合わされた前面把手部１２と背面把手部１３を持った時に安定する位置に設けることで、持つポイントともなる。なお、前記底板部５は、背面板１２の下部に連接されてもよい。
【００２１】
内袋３は、前記外装容器２の開口部３１からはみ出た、前面開口縁１０２と背面開口縁１０３を有する部分１０９を備えた上で、外装容器２に付されている。前記外装容器２の前面板６、右前側面板７、左前側面板８、右背側面板１０、および前面把手部１２のそれぞれの面の一部にまたがって内袋３を装着するために、例えば、前面板６の上下部、前面把手部１２、および、右背側面板１０に、接着剤２９を塗布する。また、左前側面板８と右背側面板１０を連接させる折罫１６を外側に折り畳んだ際に内袋３を外装容器２の背面側にも接着させるために、背面板９の上下部と、背面把手部１３にも、接着剤３０を塗布する。また、内袋３は、外装容器２の開口部３１からはみ出た、前面開口縁１０２と背面開口縁１０３を有する部分１０９を備える。前記部分１０９は、図４に示す、包装容器１の第一実施形態を開口した状態の斜視図のとおり、包装容器１の組み立て後に外装容器２の開口部３１を覆う部分となる。なお、前記内袋３の前面開口縁１０２と背面開口縁１０３は、それぞれ上側に弧を描く形状となっている。
【００２２】
図２は、内袋３の斜視図である。内袋３は、図２に示すように、アルミ蒸着フィルム等からなるシート部材を折り込んでＷ字形状の折り込み部１０１と前面開口縁１０２と背面開口縁１０３を形成した後、内袋３の左右縁にシール部１０４、１０４を施し、折り込み部１０１の頂縁１０５の両端におけるシール部１０４、１０４との交点から折り込み部１０１の底までの間に、三角形状のシール部１０６、１０６を施したものである。このような三角形状のシール部１０６、１０６を施すことで、図４に示す、包装容器１の第一実施形態を開口した状態の斜視図のように包装容器１を開口した時に、内袋３の底を平らな底面視略四角形状に形成しやすくなる。内袋３における前面開口縁１０２は前面フィルム１０７から形成され、背面開口縁１０３は背面フィルム１０８から形成され、前記各開口縁１０２、１０３により、包装容器１の組立時に外装容器２の開口部３１からはみ出た部分１０９が設けられる。前記各開口縁１０２、１０３の形状を、例えば直線状で角を有する形状とせずに、図２のように上側に弧を描く形状とすることで、図４のように、前記各開口縁１０２、１０３を外装容器２の外側にめくった時に、この外装容器２からはみ出た部分１０９が、外装容器２の開口部３１の紙などに、より密着した状態で覆われる。そのため、開口部３１に口を当てて内容物である飲料などを飲む際、開口部３１の紙などの口や内容物が触れることを防止するとともに、開口部３１の紙などが口の中の唾液や内容物などの水分を吸収することを防止できる。
【００２３】
図３は、包装容器１を偏平に折り畳んだ状態の正面図である。図１に示すように、外装容器２の胴体部４の形状は、左前側面板８と右背側面板１０を連接させる折罫１６を境にして左右対称となるため、図１に示す一枚のシート状の外装容器２を、この折罫１６において外側に折り畳むことで、胴体部４の左右がぴったりと重なる。この際、内袋３は、接着剤２９、３０の部分で外装容器２に接着され、外装容器２の前面把手部１２と背面把手部１３の間に、内袋３の一部である右縁のシール部１０４が挟み込まれ、前面把手部１２と背面把手部１３が重ね合わされる。また、底板部５は、底上側面板２１、底面板２２、および底下側面板２３がまだ折り曲げられていない状態である。このようにして、扁平な状態の包装容器１が完成する。包装容器１は、通常この状態でユーザに提供される。
【００２４】
次に、包装容器１の組み立て方法について説明する。図４は、包装容器１の第一実施形態の開口した状態の、（ａ）内袋３の前面開口縁１０２と背面開口縁１０３を外装容器２の外側にめくる前で、かつ、底板部５を胴体部４の中に入れ込む前の斜視図と、（ｂ）内袋３の前面開口縁１０２と背面開口縁１０３を外装容器２の外側にめくった後で、かつ、底板部５を胴体部４の中に入れ込んだ後の斜視図である。図５は、包装容器１の第一実施形態または第三実施形態を組み立てた状態の底面図である。図３に示す状態において、ユーザは、胴体部４の両サイドである、左前側面板８と右背側面板１０を連接させる折罫１６と、重ね合わされた前面把手部１２と背面把手部１３の側縁部を互いに押し近づけることによって、前面板６と背面板９の左右の折罫１４、１５、１７、１８が外側に折り曲げられて、図４（ａ）に示すように、胴体部４が膨らまされ、包装容器１が開口する。また、内袋３は、外装容器２の開口部３１からはみ出た、前面開口縁１０２と背面開口縁１０３を有する部分１０９を備えた上で、例えば接着材により外装容器２に付されているため、外装容器２の開口とともに、内袋３も、前記部分１０９が外装容器２の開口部分に密接した状態で一緒に開口し、前面フィルム１０７と背面フィルム１０８が離れる。そして、ユーザは、前面板６の下側折罫２４を内側に折り曲げるととともに、底上側面板２１の下側折罫２５と底面板２２の下側折罫２６も内側に折り曲げ、続いて、底下側面板２３を、その底下側面板２３の内面を背面板９の内面の下縁部に付けるようにして胴体部４の中に折り込む。底上側面板２１の下側折罫２５と底面板２２の下側折罫２６を平行に設ける理由は、底板部５を胴体部４の中に入れ込む際に、底下側面板２３を前面板６および背面板９のそれぞれの内面の下縁部に密接させ、底面板２２を平らにさせることで、安定した底板部５を設けることが出来るためである。
【００２５】
このようにして、図５のように、底板部５が胴体部４の中に入れ込まれ、包装容器１は、平面視および底面視において六角形状に立体化される。包装容器１が立体化された時、内袋３の底は、平らな底面視略四角形状に形成され、内袋３の底が安定する。そして、図４（ｂ）に示すように、ユーザは、外装容器２の開口部３１の上にはみ出た内袋３の一部で、上側に弧を描いた、前面フィルム１０７と背面フィルム１０８を外装容器２の外側にめくって折り込み、胴体部４に密着させる。内袋３の前面開口縁１０２と背面開口縁１０３のそれぞれを上側に弧を描く形状に形成することで、外装容器２への折り込み時に胴体部４に密着しやすく胴体部４への納まりが良いため、保形性に優れる。例えば、この前記各開口縁１０２、１０３を直線状で角を有する形状とすると、フィルムの端がめくれてペラペラとなり、胴体部４に密着しにくい。口を当てる部分を内袋３のフィルムで覆っているので、外装容器２の紙などが水分を含んで柔らかくなることがない。また、前面板６の下側折罫２４、底上側面板２１の下側折罫２５、および底面板２２の下側折罫２６を内側に折り曲げた状態で胴体部４の中に入れ込むことで、包装容器１が開口された状態のまま保形性に優れ、包装容器１の使用時に潰れてしまうことがない。
【００２６】
上記のように、底を、別部材とせず、一枚のブランク上の底板部５を胴体部４の中に入れ込むことで底が形成されるため、包装容器１の製造も簡単で、部材を無くすという問題もなく、またユーザが組み立てやすい。また、底板部５が胴体部４とつながっていることで、よりカップのイメージを維持できるとともに、ユーザは、シンプルな組み立てで、ワンタッチ組立できる。さらに、包装容器１を自立させ、机上などに置いたり飲食時に重ね合わされた前面把手部１２と背面把手部１３を持ったりする時も、形がくずれず、保形性に優れる。
【００２７】
また、内袋３の一部を前面把手部１２と背面把手部１３の間に挟み込みことで、ユーザはその重ね合わされた前面把手部１２と背面把手部１３を持った時に、内容物の入った内袋３を支えているまたはつかんでいるという安定感・安心感を持つことが出来る。内袋３の一部を前面把手部１２と背面把手部１３の間に挟み込まないと、内容物が入った内袋３を支えているまたはつかんでいるという感覚がない上、内袋３が胴体部４から剥がれたりして脱落したり、ぐらついたりするおそれがあり、また、内容物に熱を持っている場合は、こぼれることで火傷を負うなどもおそれも生じ得、そのような意味でも安心感を持ちにくい。前面把手部１２と背面把手部１３のそれぞれの形状は、図４に示す形状に限られないが、縦幅はより長く、横幅は少なくとも手で持てる程度とし、包装容器１の容積や外装容器２の素材となる紙などの重量を考慮して、より安定性がよい状態で形成することが好ましい。
【００２８】
さらに、前面把手部１２と背面把手部１３のそれぞれに穴２７、２８を設けることで、
滑り止め効果を有するとともに、包装容器１の組み立て後に重ね合わされた前面把手部１２と背面把手部１３を持った時に安定する位置に設けることで、持つポイントとなり、持った時の安定感・安心感を持つことが出来る。穴２７、２８の形状は、円でなくとも、四角形、三角形など、包装容器１の組み立て後に重ね合わされた前面把手部１２と背面把手部１３を持って安定性が優れており、かつ、持つポイントとすることができればよい。
【００２９】
図６は、包装容器１の第一実施形態を開口し、底板部５を胴体部４の中に入れ込んだ状態の、（ａ）内袋３の第一実施形態の前面開口縁１０２と背面開口縁１０３を外装容器２の外側にめくる前の、内袋３の第一実施形態の開口部分の左側面図と、（ｂ）内袋３の第一実施形態の前面開口縁１０２と背面開口縁１０３を外装容器２の外側にめくった後の、内袋３の第一実施形態の開口部分の左側面図である。図７は、包装容器１の第一実施形態を開口し、底板部５を胴体部４の中に入れ込んだ状態の、（ａ）内袋３の第二実施形態の前面開口縁１０２と背面開口縁１０３を外装容器２の外側にめくる前の、内袋３の第二実施形態の開口部分の左側面図と、（ｂ）内袋３の第二実施形態の前面開口縁１０２と背面開口縁１０３を外装容器２の外側にめくった後の、内袋３の第二実施形態の開口部分の左側面図である。ここで、前記開口部分の左側は、包装容器１を組み立てた時に重ね合わされた前面把手部２７と背面把手部２８と反対側の開口部分である。
【００３０】
上述の通り、内袋３の前面開口縁１０２と背面開口縁１０３それぞれを上側に弧を描く形状にすることで、外装容器２への密着が良好となる。図６（ａ）に示す前面開口縁１０２と背面開口縁１０３のそれぞれの端と異なり、図７（ａ）には、前面開口縁１０２と背面開口縁１０３のそれぞれの端にフィルムの立ち上がり部１１０を有する。なお、ここでは前記各開口縁１０２、１０３の、重ね合わされた前面把手部１２と背面把手部１３と反対側の端に立ち上がり部１１０を有するが、重ね合わされた前面把手部１２と背面把手部１３の側の端にも立ち上がり部１１０を有してもよい。少なくとも、飲食時に口が当たりやすい、前記各開口縁１０２、１０３の、重ね合わされた前面把手部１２と背面把手部１３と反対側の端に、つまり、前面開口縁１０２の少なくとも左前側面板８に装着される側の端と、背面開口縁１０３の少なくとも右背側面板１０に装着される側の端に、それぞれ立ち上がり部１１０を有すればよい。ここで、フィルムの立ち上がり部１１０とは、内袋３の前面開口縁１０２と背面開口縁１０３を外装容器２の外側にめくった時に、前面フィルム１０７と背面フィルム１０８が接する部分である。
【００３１】
図６（ａ）のようにフィルムの立ち上がり部１１０がないと、図６（ｂ）のように内袋３の前面開口縁１０２と背面開口縁１０３を外装容器２の外側にめくった後の内袋３の前面フィルム１０７と背面フィルム１０８の間に大きな隙間ができ、飲食時にそこに口を当てた場合、外装容器２の紙などの縁が口に触れることになり、また、内容物も当たりやすくなるため、外装容器２の紙などが、口の中の唾液や内容物などの水分を吸収して柔らかくなるおそれがある。一方、図７（ａ）のようにフィルムの立ち上がり部１１０を有することで、図７（ｂ）のように内袋３の前面開口縁１０２と背面開口縁１０３を外装容器２の外側にめくった後の内袋３の前面フィルム１０７と背面フィルム１０８の間に隙間が小さくなり、飲食時にそこに口を当てた場合でも、外装容器２の紙などの縁が口に触れにくくなり、また、内容物も当たりにくくなるため、外装容器２の紙などが、口の中の唾液や内容物などの水分を吸収して柔らかくなることを防止でき、包装容器１の保形性に優れる。なお、図７（ａ）のように、前面フィルム１０７と背面フィルム１０８は接すればよく、これらのフィルムが重なるように接してしまうと、これらのフィルムを外装容器２の外側にめくった時に、端の重なり合ったフィルムがペラペラとめくれ上がって、外装容器２への密接具合が弱くなったり、飲食時に邪魔となったりするおそれがある。よって、前面フィルム１０７と背面フィルム１０８が接する部分、つまり、フィルムの立ち上がり部１１０は、外装容器２の開口部３１の上縁部に垂直に設けることが好ましい。
【００３２】
図７（ａ）に示す、フィルムの立ち上がり部１１０は、２ｍｍから３ｍｍが好ましい。これより短いと、前面フィルム１０７と背面フィルム１０８の間の隙間が大きくなり、飲食時に、外装容器２の紙などに口が触れやすくなったり、口に触れなくとも、内容物が触れたりするおそれがあり、逆にこれより長いと、フィルムの端がペラペラとめくれて外装容器２に密着せずに保形性に劣るためである。
【００３３】
包装容器１の開口部３１の紙などに直接口を触れさせることをより防ぐために、そもそもその飲み口から飲ませないようにするための、上記とは別の２つの実施形態を以下に示す。
【００３４】
図８は、包装容器１の第二実施形態の展開図である。図９は、包装容器１の第二実施形態を組み立てた状態の斜視図である。図１０は、包装容器１の第二実施形態を組み立てた状態の底面図である。図８、図９に示すとおり、前面板１０の底辺Ａの長さを左前側面板８の底辺Ｂの長さよりも短くする。ユーザは、内容物を口元に流れやすくさせるために、開口部３１のより婉曲または屈曲した部分を飲み口とする傾向がある。よって、上記の形状にすることで、内袋３の前面開口縁１０２と背面開口縁１０３の端から離れ、前面フィルム１０７と背面フィルム１０８の間に隙間ができない、正面視略中央部を飲み口として飲むことを助長させ、各フィルムの間の隙間部分を飲み口として飲むことを防ぐことが出来る。また、重ね合わされた前面把手部１２と背面把手部１３を持った時に中央に近い部分に口を当てやすくなる上、口を当てて内容物である飲料などを飲んだ際に、飲料が口元に流れやすくなることで飲みやすくなるという利点もある。なお、この包装容器１の第二実施形態では、図１０に示すように、底面板２２が底面視縦長長方形となる。図５のように、底面板２２を底面視正方形に形成すると、底面板２２の各辺の長さを、短い方の底面板６の底辺Ａの長さに合わせることで開口に十分なふくらみができず、飲みにくくなるおそれがあるためである。
【００３５】
図１１は、包装容器１の第三実施形態の展開図である。図１２は、包装容器１の第三実施形態を組み立てた状態の斜視図である。この包装容器１の第三実施形態を組み立てた状態の底面図は、上記の包装容器１の第一実施形態の底面図と同じく図５に示す図である。図１１に示すとおり、外装容器２の前面板６と背面板９の形状を略三角形状になるように、前面板６と背面板９の左右の折罫１４、１５、１７、１８を設ける。なお、少なくとも前面板６の形状を略三角形状とすればよい。このようにすることで、包装容器１を組み立てた時に、図１２に示すように、尖った部分が正面中央に位置されて平面視略菱形形状となるため、自然とその尖った部分を飲み口として飲むことが期待できる。また、包装容器１全体の形状の面白さが出るため購買力が向上すると共に、底の保形性が向上するため底板部５の安定感も増す。さらに、前面板６の左右の折罫１４、１５と背面板９の左右の折罫１７、１８をそれぞれ平行に設けるよりも、図１１のように、前面板６と背面板９の形状を正面視略三角形状になるように設けた方が、包装容器１を折り畳んだ時に、より偏平になりやすいため、店頭で陳列などした際にかさばらない。
【００３６】
包装容器１の使用時は、包装容器１の中に飲料などを入れ、重ね合わされた前面把手部１２と背面把手部１３の穴２７、２８の部分を摘まんで持ち上げながら、その飲料を飲むことができる。包装容器１の販売時は、この包装容器１単体でもよいし、例えば、お湯を注ぐだけでコーヒーが作れるインスタントコーヒーとセットで販売してもよい。このように内容物とセット販売すれば、ユーザが別にその内容物を入れるためにマグカップなどの食器を準備せずとも、すぐに飲食ができるので便利である。
【００３７】
外装容器２に使用する材料は、厚紙などの適度の剛直性を有するもので、例えば、バージン紙、カード紙、コート紙、コートボールなどが挙げられる。上記の中のバージン紙は、紙厚が薄くなるが折り返すことで強度・保形性は守られ、また耐水性もよい。
【００３８】
内袋３に使用する材料は、アルミニウム、アルミ蒸着フィルム、シリカ蒸着フィルム、ポリエチレンテレフタレート、ナイロン、およびこれらを積層した積層フィルムなどが挙げられる。この中でもアルミニウムを含めた複数の材料を積層した積層フィルムが好ましい。アルミニウムを使用することで、水分・水蒸気遮断性、酸素ガスなどの遮断性にも優れる。ピンホールの発生を防止すべくプラスチックフィルムでサンドすることが好ましい。
【符号の説明】
【００３９】
１・・・包装容器
２・・・外装容器
３・・・内袋
４・・・胴体部
５・・・底板部
６・・・前面板
７・・・右前面板
８・・・左前面板
９・・・背面板
１０・・・右背面板
１１・・・左背面板
１２・・・前面把手部
１３・・・背面把手部
１４〜２０・・・折罫
２１・・・底上側面板
２２・・・底面板
２３・・・底下側面板
２４〜２６・・・折罫
２７、２８・・・穴
２９、３０・・・接着剤
３１・・・開口部
１０１・・・折り込み部
１０２・・・前面開口縁
１０３・・・背面開口縁
１０４、１０４・・・左右縁のシール部
１０５・・・折り込み部の頂縁
１０６、１０６・・・三角形状のシール部
１０７・・・前面フィルム
１０８・・・背面フィルム
１０９・・・内袋の、外装容器の開口部からはみ出た、開口縁を有する部分
１１０・・・立ち上がり部
【図１】
2020203687.tif 000003
【図２】
2020203687.tif 000004
【図３】
2020203687.tif 000005
【図４】
2020203687.tif 000006
【図５】
2020203687.tif 000007
【図６】
2020203687.tif 000008
【図７】
2020203687.tif 000009
【図８】
2020203687.tif 000010
【図９】
2020203687.tif 000011
【図１０】
2020203687.tif 000012
【図１１】
2020203687.tif 000013
【図１２】
2020203687.tif 000014